(57)【要約】 【目的】本発明は、ペーパータオルの取り出しのための開口部開けが簡単にできると共に、ペーパータオル自体の取り出し時において、皺になりにくくできると共に、極めて取り出し易くすること。【構成】比較的厚手のペーパータオルの取出しのために取出し口が形成されたペーパータオル収納箱において、前記取出し口は、中央の斜方形開口部１と該斜方形開口部１の長手方向の両端に端部Ｕ字形開口部３，３として上面Ａの長手方向の間隔目いっぱいに形成されている。斜方形開口部１の長軸Ｎは上面７Ａの水平線Ｇに対して平面的に見て適宜な傾斜角度θに形成され、且つ両端部Ｕ字形開口部３，３の周縁にはＵ字形ミシン目４が、両端部Ｕ字形開口部３，３との接合箇所を除きつつ斜方形開口部１の周縁には斜方形ミシン目２がそれぞれ形成されていること。Ｕ字形ミシン目４が指で破れる力の破断力ｆが斜方形ミシン目２の破断力Ｆよりも小さく形成されてなること。【選択図】図１
2013086825.tif 000002
【特許請求の範囲】
【請求項１】
比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の間隔目いっぱいに形成されていると共に、前記斜方形開口部の長軸は前記上面の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、さらに前記Ｕ字形ミシン目の指で破れる力の破断力が前記斜方形ミシン目の破断力よりも小さく形成されてなることを特徴とするペーパータオル収納箱。
【請求項２】
請求項１おいて、前記端部Ｕ字形開口部の前記斜方形開口部箇所との接合箇所は円弧状に形成されてなることを特徴とするペーパータオル収納箱。
【請求項３】
請求項１又は２において、前記斜方形ミシン目は、全周にわたりカット部分及び連結部分からなる内側ミシン目と外側ミシン目とによる二重ミシン目として形成され、前記Ｕ字形ミシン目は、カット部分及び連結部分からなる一重ミシン目として形成されてなることを特徴とするペーパータオル収納箱。
【請求項４】
請求項１，２又は３の何れか１項において、ペーパータオルが重畳状態で２つ折りに形成されてなることを特徴とするペーパータオル収納箱。
【請求項５】
請求項１，２又は３の何れか１項において、ペーパータオルが重畳状態で３つ折りに形成されてなることを特徴とするペーパータオル収納箱。
【請求項６】
請求項１，２，３，４又は５の何れか１項において、前記斜方形開口部の長軸が前記上面の水平線に対する傾斜角度は、５度〜２５度に形成されてなることを特徴とするペーパータオル収納箱。
【請求項７】
請求項１，２，３，４，５又は６の何れか１項において、前記ペーパータオルは、１枚当たり２５〜６０ｇ／ｍ２に形成されてなることを特徴とするペーパータオル収納箱。
【発明の詳細な説明】
【技術分野】
【０００１】
本発明は、ペーパータオルの取り出しのための開口部開けが簡単にできると共に、ペーパータオル自体の取り出し時において、皺になりにくくできると共に、極めて取り出し易くできるペーパータオル専用のペーパータオル収納箱に関する。
【背景技術】
【０００２】
従来より、ペーパータオル収納箱は、種々のものが存在している。特に、その折り畳み状になっているペーパータオルが、小さな収納箱に約２０乃至約７５枚が積層されて、紙製の箱又はボックス、収納箱に入って、家庭又は業務用などで手拭きや、調理用などに使われている。このペーパータオルは、ティシュペーパーよりも厚く、一枚当たり約２５〜６０ｇ／ｍ２（米坪）である。
【先行技術文献】
【特許文献】
【０００３】
【特許文献１】特開２００２−８５２８７号公報
【発明の概要】
【発明が解決しようとする課題】
【０００４】
特許文献１には、ペーパータオル専用のホルダー（収納箱）が開示されているが、単に、収納箱の長手方向目一杯に横孔が形成されるように片方はミシン目ａが他方は折り目ｂが形成され、且つ側面に設けられた切れ目ｃと円弧状のミシン目ｄとで構成されている。この場合であると、該ミシン目ｄを破断し、その切れ目ｃを介して半円部を取り除き、両側を処理し、そして、前記ミシン目ａを破断して、その後に、ガイド片６を立ち上げて開口し、横孔が始めて形成できるものである。
【０００５】
このように、両側の半円部を取り除き作業でのゴミ片の発生があり、１本線状のミシン目ａを破断してその直後にガイド片６を立ち上げ作業があり、作業が面倒である欠点があった。また、市販されているペーパータオル収納箱では、図８に示すように、収納箱の長手方向の両端よりも内側位置間に、横孔が形成されるように周囲にミシン目が形成されている。
【０００６】
この市販のペーパータオル収納箱では、ペーパータオルの横幅が横孔の長さよりも大きいために、取り出すときに抵抗となり、出しにくいのみならず、皺が発生し、見た目にも悪いという欠点があった。
【０００７】
このため、本発明が解決しようとする課題（技術的課題又は目的等）は、ペーパータオルの取り出しのための開口部開けが簡単にできると共に、ペーパータオル自体の取り出し時において、皺になりにくくできると共に極めて取り出し易くできることを実現することである。
【課題を解決するための手段】
【０００８】
そこで、発明者は上記課題を解決すべく鋭意，研究を重ねた結果、請求項１の発明を、比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の間隔目いっぱいに形成されていると共に、前記斜方形開口部の長軸は前記上面の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、さらに前記Ｕ字形ミシン目の指で破れる力の破断力が前記斜方形ミシン目の破断力よりも小さく形成されてなることを特徴とするペーパータオル収納箱さとしたことにより、前記課題を解決した。
【０００９】
請求項２の発明を、請求項１おいて、前記端部Ｕ字形開口部の前記斜方形開口部箇所との接合箇所は円弧状に形成されてなることを特徴とするペーパータオル収納箱としたことにより、前記課題を解決した。請求項３の発明を、請求項１又は２において、前記斜方形ミシン目は、全周にわたりカット部分及び連結部分からなる内側ミシン目と外側ミシン目とによる二重ミシン目として形成され、前記Ｕ字形ミシン目は、カット部分及び連結部分からなる一重ミシン目として形成されてなることを特徴とするペーパータオル収納箱としたことにより、前記課題を解決した。
【００１０】
請求項４の発明を、請求項１，２又は３の何れか１項において、ペーパータオルが重畳状態で２つ折りに形成されてなることを特徴とするペーパータオル収納箱としたことにより、前記課題を解決した。請求項５の発明を、請求項１，２又は３の何れか１項において、ペーパータオルが重畳状態で３つ折りに形成されてなることを特徴とするペーパータオル収納箱としたことにより、前記課題を解決した。
【００１１】
請求項６の発明を、請求項１，２，３，４又は５の何れか１項において、前記斜方形開口部の長軸が前記上面の水平線に対する傾斜角度は、５度〜２５度に形成されてなることを特徴とするペーパータオル収納箱としたことにより、前記課題を解決した。請求項７の発明を、請求項１，２，３，４，５又は６の何れか１項において、前記ペーパータオルは、１枚当たり２５〜６０ｇ／ｍ２に形成されてなることを特徴とするペーパータオル収納箱としたことにより、前記課題を解決したものである。
【発明の効果】
【００１２】
請求項１の発明においては、ペーパータオルの取り出しのための開口部開けが簡単にできると共に、ペーパータオル自体の取り出し時において、皺になりにくくできると共に極めて取り出し易くできる最大の利点がある。特に、ペーパータオルの取り出しのための開口部開けは、一番簡単にでき、高効率長寿命化を実現できる。さらに、請求項２の発明では、前記斜方形開口部を開けるときに指に良く掛かり極めて開けやすくでき、子供でも老人でも簡単に開口部を開けることができる効果がある。
【００１３】
請求項３の発明では、特に、整然として開口部を開けることができる。請求項４又は５では、種々のペーパータオルでも対応できる利点がある。請求項６の発明では、通常のタイプのペーパータオルでは、全てに亘り、簡単に開口ができると共に、スムーズにペーパータオルの取り出しができる。
【００１４】
つまり、従来では、厚手ゆえに、ガサ付いており、ペーパータオルを引っ張るときに、思わぬ抵抗がかかるのみならず、しわしわが生じるものであり、見た目にも悪い印象を与えがちであった点を全て解消することができた。さらに、請求項７の発明では、厚手のペーパータオルに極めて良好に対応できるものである。
【図面の簡単な説明】
【００１５】
【図１】（Ａ）は本発明の斜視図、（Ｂ）は本発明の平面図、（Ｃ）は（Ｂ）の（ア）部拡大図である。
【図２】（Ａ）はペーパータオルを入れて使用状態を示す収納箱の平面図、（Ｂ）は収納箱自体の平面図である。
【図３】（Ａ）は端部Ｕ字形開口部を親指にて開口破断する直前の収納箱要部の断面図、（Ｂ）は（Ａ）の斜視図、（Ｃ）は端部Ｕ字形開口部を親指にて開口破断完了した直後の収納箱要部の断面図、（Ｄ）は（Ｃ）の斜視図、（Ｅ）は斜方形開口部の端を人差指にて開口破断する直前の収納箱要部の断面図、（Ｆ）は斜方形開口部の端を人差指にて開口破断している状態の収納箱要部の断面図、（Ｇ）は（Ｆ）の要部斜視図である。
【図４】（Ａ）は端部Ｕ字形開口部を親指にて開口破断完了した後において、該端部Ｕ字形開口部片が下方に傾斜した状態の収納箱要部の断面図、（Ｂ）及び（Ｃ）はペーパータオルを開口部から取り出している状態図、（Ｄ）は開口部からペーパータオルを取り出し、次に残っているペーパータオルが入っている断面図である。
【図５】（Ａ），（Ｂ），（Ｃ）及び（Ｄ）は、他の実施形態を示す収納箱要部の平面図である。
【図６】本発明の別の実施形態であって、収納箱の上面の水平線に対して平面的に見て傾斜角度がマイナス側に形成されている平面図である。
【図７】（Ａ）はペーパータオルを入れて使用状態を示す収納箱の平面図、（Ｂ）は（Ａ）の要部斜視図、（Ｃ）は（Ａ）のＹ−Ｙ矢視図である。
【図８】ペーパータオルを入れて使用状態を示す従来の収納箱の斜視図である。
【発明を実施するための形態】
【００１６】
以下、本発明の実施形態について図面に基づいて説明すると、図１乃至図２に示した図は、ペーパータオルＰ用の収納箱７であって、直方体状をなしている。この内部には、ポップアップ式に上側から一枚ずつ取り出すように交互に積層された比較的厚手のペーパータオルＰが数十枚（約２０乃至約８０枚）が収納されている。
【００１７】
該収納箱７の上面７Ａには、一枚ずつのペーパータオルＰの取出し口を形成するための斜方形開口部１と該斜方形開口部１の長手方向の両端に端部Ｕ字形開口部３，３が目いっぱいに形成されている〔図１（Ａ），（Ｂ）及び図２（Ｂ）参照〕。
【００１８】
具体的には、前記斜方形開口部１の周縁（両端を除き）には、斜方形ミシン目２，２が形成され、前記端部Ｕ字形開口部３の周縁には、Ｕ字形ミシン目４が形成されている。前記斜方形ミシン目２は、使用開始時に取り除かれ、内部に収容されたペーパータオルＰを取出すための前記斜方形開口部１が形成される。
【００１９】
前記斜方形開口部１と両端部Ｕ字形開口部３，３とで、開口された後には、斜方形状開口Ｋが形成される。このとき、重要なことは、前記端部Ｕ字形開口部３のＵ字形ミシン目４が破断された後においても、その収納箱７の上面７Ａの外形を形成する外形線箇所は折り目４３として形成され、後々までの残り、前記端部Ｕ字形開口部３は保持される。
【００２０】
前記斜方形開口部１の長軸Ｎは前記上面７Ａの水平線Ｇに対して平面的に見て傾斜角度θが形成されている。実施形態では、約５度〜約２５程度である。好ましくは、約１０度前後に形成されている。
【００２１】
前記斜方形ミシン目２は、具体的には、図１（Ｃ）に示すように、前記両端部Ｕ字形開口部3との接合箇所を除きつつ,略全周にわたり、外側ミシン目２１と内側ミシン目２２とによる二重ミシン目として形成されている。
【００２２】
さらに詳述すると、外側ミシン目２１および内側ミシン目２２をともにカット部分２１ｂ、２２ｂ と連結部分２１ａ、２２ａをそれぞれ同じとしながら、それぞれのミシン目のカット部分２１ｂ、２２ｂが千鳥状配置となるように外側ミシン目２１と内側ミシン目２２とを同一状に形成されている。さらに、前記斜方形ミシン目２の「くの字」状辺の屈曲部分のみが、一重ミシン目として形成されることもあるが、これでも大部分は二重ミシン目として形成されている。
【００２３】
また、前記端部Ｕ字形開口部３，３のミシン目４は、一重ミシン目として形成され、直線状ミシン目４１と円弧状ミシン目４２とから構成されている。前記直線状ミシン目４１も、前記円弧状ミシン目４２も、カット部分４１ｂ，４２ｂと連結部分４１ａ，４２ａとして形成されている。
【００２４】
前記直線状ミシン目４１は、前記斜方形ミシン目２に連続しつつ直線状に形成された部位であり、前記円弧状ミシン目４２は、特に、前記斜方形開口部１との接合箇所であって、円弧状に形成された部位である。前記ミ直線状シン目４１及び円弧状ミシン目４２は連続して形成されている。
【００２５】
前記ミシン目を指で押圧して破れる力を、この明細書において「破断力」という。すると、前記Ｕ字形ミシン目４の破断力ｆが、前記斜方形ミシン目２の破断力Ｆよりも小さく形成されている。つまり、
Ｕ字形ミシン目４の破断力ｆ＜斜方形ミシン目２の破断力Ｆ
破断力ｆ＜破断力Ｆ
として形成されている。Ｕ字形ミシン目４が斜方形ミシン目２よりも破断し易くなっている〔図１（Ｃ）参照〕。
【００２６】
これによって、図３において、親指にて前記端部Ｕ字形開口部３を押したとき〔図３（Ｃ）及び（Ｄ）参照〕、Ｕ字形ミシン目４のみが破断され、前記斜方形開口部１の斜方形ミシン目２は残っている状態を呈する。
【００２７】
また、前記Ｕ字形ミシン目４において、円弧状ミシン目４２のカット部分４２ｂ は、前記連結部分４１ａの長さよりは極端に大きく形成され、破断力が僅かであっても破断できるように形成されている。つまり、より破断し易く形成されることもある。
【００２８】
前述したように、前記斜方形開口部１と両端部Ｕ字形開口部３，３とで、開口された後には、斜方形状開口Ｋが形成されるが、該斜方形状開口Ｋは、菱形状をなし、その対角線状の開口最大幅をＬ0とする〔図２（Ｂ）参照〕。該開口最大幅Ｌ0は、前記収納箱７の長手方向の両側部７Ｃ，７Ｃの内側壁の幅Ｌｍａｘに対して傾斜角度θの線状における間隔である。
【００２９】
このときには、両端部Ｕ字形開口部３，３は、図４（Ｂ）に示すように、下側に折れ曲がっておりペーパータオルＰが比較的厚手であっても開口部としては、開口最大幅Ｌ0が形成されている。この図４（Ｂ）では、開口最大幅Ｌ0は、傾斜角度θ曲がっていることが条件となる。ここで、ペーパータオルＰの幅をＬ０とすると、
【００３０】
開口最大幅Ｌ0は＞収納箱７長手方向の内側壁幅Ｌｍａｘ＞ペーパータオルＰの幅Ｌ０
つまり、開口最大幅Ｌ0＞内側壁幅Ｌｍａｘ＞ペーパータオル幅Ｌ０
ペーパータオルＰは、収納箱の幅よりも大きな開口最大幅Ｌ0を有する斜方形状開口Ｋを備えているので、ペーパータオルＰを取りだすときに、その斜方形状開口Ｋに抵抗になることなく、極めてスムーズに取り出すことができる。
【００３１】
また、前記斜方形開口部１や前記斜方形状開口Ｋは、簡単に言うと、菱形状をなしており、これを適宜な傾斜角度θが形成されていることから、前述したように、開口最大幅Ｌ0を得られるのみならず、菱形の長手方向の「くの字形」の一辺は平行になったり、近づいたりするが、他辺は傾斜状となり、この傾斜状辺が、図２（Ａ）において右側のように、ペーパータオルＰの先端側を上側に伸ばすように作用させる機能を有している。
【００３２】
また、その前記斜方形開口部１の形状としては、図５（Ａ）〜（Ｄ）に示すように、その菱形状を変形する場合もある。図５（Ａ）では、菱形状を太めに形成した場合であり、図５（Ｂ）では、菱形状を細めに形成した場合である。図５（Ｃ）では、菱形状を円弧辺状に形成した場合であり、図５（Ｄ）では、両端部Ｕ字形開口部３を大きめに形成した場合である。何れの実施形態でも、図１及び図２と同様の機能を発揮しうる。
【００３３】
図６の実施形態では、図１（Ｂ）の場合と勝手反対の場合である。すなわち、前記斜方形開口部１の長軸Ｎの傾斜角度θは、前記上面の水平線に対して平面的に見てマイナス側（時計方向に）に形成されている。実施形態では、約マイナス１０度に形成されている。この場合でも、図１及び図２と同様の機能を発揮する。
【００３４】
前記ペーパータオルＰは、実施形態においては、３つ折りに形成されとおり、この場合には、ポップアップ式に取りだしたときには、常に、図２（Ａ）に示すように、ペーパータオルＰは下向きになっているが、図示しない重畳状態で２つ折りの場合には、上側向き、下側向きが交互になるが、特に、略対称形の斜方形のために、３つ折りの場合と同等の効果がある。
【符号の説明】
【００３５】
Ｐ…ペーパータオル、１…斜方形開口部、２…斜方形ミシン目、２１…外側ミシン目、
２１…内側ミシン目、２１ｂ、２２ｂ、４１ｂ，４２ｂ …カット部分、
２１ａ、２２ａ、４１ａ，４２ａ…連結部分、３…端部Ｕ字形開口部、
４…Ｕ字形ミシン目、Ｎ…長軸、ｆ，Ｆ…破断力、Ｇ…水平線、θ…傾斜角度、
７…収納箱、７Ａ…上面。
【図１】
2013086825.tif 000003
【図２】
2013086825.tif 000004
【図３】
2013086825.tif 000005
【図４】
2013086825.tif 000006
【図５】
2013086825.tif 000007
【図６】
2013086825.tif 000008
【図７】
2013086825.tif 000009
【図８】
2013086825.tif 000010
【手続補正書】
【提出日】平成24年1月16日(2012.1.16)
【手続補正１】
【補正対象書類名】特許請求の範囲
【補正対象項目名】請求項１
【補正方法】変更
【補正の内容】
【請求項１】
比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の間隔目いっぱいに形成されていると共に、前記斜方形開口部の長軸は前記上面の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、前記両端部Ｕ字形開口部における収納箱の前記上面の外形を形成する外形線箇所は折り目として形成され、さらに前記Ｕ字形ミシン目の指で破れる力の破断力が前記斜方形ミシン目の破断力よりも小さく破断し易く形成されてなり、破断された状態下の前記端部Ｕ字形開口部の前記Ｕ字形ミシン目を前記ペーパータオルが通過可能に構成されてなることを特徴とするペーパータオル収納箱。 
【手続補正２】
【補正対象書類名】明細書
【補正対象項目名】０００８
【補正方法】変更
【補正の内容】
【０００８】
そこで、発明者は上記課題を解決すべく鋭意，研究を重ねた結果、請求項１の発明を、比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の間隔目いっぱいに形成されていると共に、前記斜方形開口部の長軸は前記上面の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、前記両端部Ｕ字形開口部における収納箱の前記上面の外形を形成する外形線箇所は折り目として形成され、さらに前記Ｕ字形ミシン目の指で破れる力の破断力が前記斜方形ミシン目の破断力よりも小さく破断し易く形成されてなり、破断された状態下の前記端部Ｕ字形開口部の前記Ｕ字形ミシン目を前記ペーパータオルが通過可能に構成されてなることを特徴とするペーパータオル収納箱としたことにより、前記課題を解決したものである。
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の間隔目いっぱいに形成されていると共に、前記斜方形開口部の長軸は前記上面の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、前記両端部Ｕ字形開口部における収納箱の前記上面の外形を形成する外形線箇所は折り目として形成され、さらに前記Ｕ字形ミシン目の指で破れる力の破断力が前記斜方形ミシン目の破断力よりも小さく破断し易く形成されてなり、破断された状態下の前記端部Ｕ字形開口部の前記Ｕ字形ミシン目を前記ペーパータオルが通過可能に構成されてなり、前記斜方形開口部は、菱形状をなし、該菱形の長手方向の「くの字形」の一辺は前記水平線に対して平行に、他辺は傾斜して形成されてなると共に、前記ペーパータオルが重畳状態で２つ折り又は３つ折りに形成されてなり、且つ該ペーパータオルを取り出した状態の最上側のペーパータオルの上側片は常時、前記斜方形開口部上に露出されてなることを特徴とするペーパータオル収納箱。
【請求項２】
請求項１おいて、前記端部Ｕ字形開口部の前記斜方形開口部箇所との接合箇所は円弧状に形成されてなることを特徴とするペーパータオル収納箱。
【請求項３】
請求項１又は２において、前記斜方形ミシン目は、全周にわたりカット部分及び連結部分からなる内側ミシン目と外側ミシン目とによる二重ミシン目として形成され、前記Ｕ字形ミシン目は、カット部分及び連結部分からなる一重ミシン目として形成されてなることを特徴とするペーパータオル収納箱。
【請求項４】
請求項１，２又は３の何れか１項において、前記斜方形開口部の長軸が前記上面の水平線に対する傾斜角度は、５度〜２５度に形成されてなることを特徴とするペーパータオル収納箱。
【請求項５】
請求項１，２，３又は４の何れか１項において、前記ペーパータオルは、１枚当たり２５〜６０ｇ／ｍ２に形成されてなることを特徴とするペーパータオル収納箱。
【手続補正２】
【補正対象書類名】明細書
【補正対象項目名】０００８
【補正方法】変更
【補正の内容】
【０００８】
そこで、発明者は上記課題を解決すべく鋭意，研究を重ねた結果、請求項１の発明を、比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の間隔目いっぱいに形成されていると共に、前記斜方形開口部の長軸は前記上面の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、前記両端部Ｕ字形開口部における収納箱の前記上面の外形を形成する外形線箇所は折り目として形成され、さらに前記Ｕ字形ミシン目の指で破れる力の破断力が前記斜方形ミシン目の破断力よりも小さく破断し易く形成されてなり、破断された状態下の前記端部Ｕ字形開口部の前記Ｕ字形ミシン目を前記ペーパータオルが通過可能に構成されてなり、前記斜方形開口部は、菱形状をなし、該菱形の長手方向の「くの字形」の一辺は前記水平線に対して平行に、他辺は傾斜して形成されてなると共に、前記ペーパータオルが重畳状態で２つ折り又は３つ折りに形成されてなり、且つ該ペーパータオルを取り出した状態の最上側のペーパータオルの上側片は常時、前記斜方形開口部上に露出されてなることを特徴とするペーパータオル収納箱としたことにより、前記課題を解決した。 
【手続補正３】
【補正対象書類名】明細書
【補正対象項目名】００１０
【補正方法】変更
【補正の内容】
【００１０】
請求項４の発明を、請求項１，２，３，４又は５の何れか１項において、前記斜方形開口部の長軸が前記上面の水平線に対する傾斜角度は、５度〜２５度に形成されてなることを特徴とするペーパータオル収納箱としたことにより、前記課題を解決した。 
【手続補正４】
【補正対象書類名】明細書
【補正対象項目名】００１１
【補正方法】変更
【補正の内容】
【００１１】
請求項５の発明を、請求項１，２，３，４，５又は６の何れか１項において、前記ペーパータオルは、１枚当たり２５〜６０ｇ／ｍ２に形成されてなることを特徴とするペーパータオル収納箱としたことにより、前記課題を解決したものである。
【手続補正５】
【補正対象書類名】明細書
【補正対象項目名】００１２
【補正方法】変更
【補正の内容】
【００１２】
請求項１の発明においては、ペーパータオルの取り出しのための開口部開けが簡単にできると共に、ペーパータオル自体の取り出し時において、皺になりにくくできると共に極めて取り出し易くできる最大の利点がある。特に、ペーパータオルの取り出しのための開口部開けは、簡単にできる。また、請求項２の発明では、前記斜方形開口部を開けるときに指に良く掛かり極めて開けやすくでき、子供でも老人でも簡単に開口部を開けることができる効果がある。
【手続補正６】
【補正対象書類名】明細書
【補正対象項目名】００１３
【補正方法】変更
【補正の内容】
【００１３】
請求項３の発明では、特に、整然として開口部を開けることができる。請求項４の発明では、通常のタイプのペーパータオルでは、全てに亘り、簡単に開口ができると共に、スムーズにペーパータオルの取り出しができる。
【手続補正７】
【補正対象書類名】明細書
【補正対象項目名】００１４
【補正方法】変更
【補正の内容】
【００１４】
つまり、従来では、厚手ゆえに、ガサ付いており、ペーパータオルを引っ張るときに、思わぬ抵抗がかかるのみならず、しわしわが生じるものであり、見た目にも悪い印象を与えがちであった点を全て解消することができた。さらに、請求項５の発明では、厚手のペーパータオルに極めて良好に対応できるものである。
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の外形の間隔目いっぱいに形成されていると共に、前記斜方形開口部の長軸は前記上面の長手方向の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、前記両端部Ｕ字形開口部における収納箱の前記上面の外形を形成する外形線箇所は折り目として形成され、さらに前記Ｕ字形ミシン目の指で破れる力の破断力が前記斜方形ミシン目の破断力よりも小さく破断し易く形成されてなり、破断された状態下の前記端部Ｕ字形開口部の前記Ｕ字形ミシン目を前記ペーパータオルが通過可能に構成されてなり、前記斜方形開口部は、菱形状をなし、該菱形の長手方向の「くの字形」の一辺は前記上面の長手方向の水平線に対して平行に、前記「くの字形」の他辺は前記水平線に対して傾斜して形成されてなると共に、前記ペーパータオルが重畳状態で２つ折り又は３つ折りに形成されてなり、且つ該ペーパータオルを取り出した状態の最上側のペーパータオルの上側片は常時、前記斜方形開口部上に露出されてなることを特徴とするペーパータオル収納箱。
【請求項２】
請求項１において、前記端部Ｕ字形開口部の前記斜方形開口部箇所との接合箇所は円弧状に形成されてなることを特徴とするペーパータオル収納箱。
【請求項３】
請求項１又は２において、前記斜方形ミシン目は、全周にわたりカット部分及び連結部分からなる内側ミシン目と外側ミシン目とによる二重ミシン目として形成され、前記Ｕ字形ミシン目は、カット部分及び連結部分からなる一重ミシン目として形成されてなることを特徴とするペーパータオル収納箱。
【請求項４】
請求項１，２又は３の何れか１項において、前記斜方形開口部の長軸が前記上面の長手方向の水平線に対する傾斜角度は、５度〜２５度に形成されてなることを特徴とするペーパータオル収納箱。
【請求項５】
請求項１，２，３又は４の何れか１項において、前記ペーパータオルは、１枚当たり２５〜６０ｇ／ｍ２に形成されてなることを特徴とするペーパータオル収納箱。
【手続補正２】
【補正対象書類名】明細書
【補正対象項目名】０００８
【補正方法】変更
【補正の内容】
【０００８】
そこで、発明者は上記課題を解決すべく鋭意，研究を重ねた結果、請求項１の発明を、比較的厚手のペーパータオルが複数重層されて束として収容され、その上面部分に一枚ずつ前記ペーパータオルの取出しのために取出し口が形成されたペーパータオル収納箱において、前記取出し口は、中央の斜方形開口部と該斜方形開口部の長手方向の両端に端部Ｕ字形開口部として前記上面の長手方向の外形の間隔目いっぱいに形成されていると共に、前記斜方形開口部の長軸は前記上面の長手方向の水平線に対して平面的に見て適宜な傾斜角度に形成され、且つ前記両端部Ｕ字形開口部の周縁にはＵ字形ミシン目が、前記両端部Ｕ字形開口部との接合箇所を除きつつ前記斜方形開口部の周縁には斜方形ミシン目がそれぞれ形成されてなり、前記両端部Ｕ字形開口部における収納箱の前記上面の外形を形成する外形線箇所は折り目として形成され、さらに前記Ｕ字形ミシン目の指で破れる力の破断力が前記斜方形ミシン目の破断力よりも小さく破断し易く形成されてなり、破断された状態下の前記端部Ｕ字形開口部の前記Ｕ字形ミシン目を前記ペーパータオルが通過可能に構成されてなり、前記斜方形開口部は、菱形状をなし、該菱形の長手方向の「くの字形」の一辺は前記上面の長手方向の水平線に対して平行に、前記「くの字形」の他辺は前記水平線に対して傾斜して形成されてなると共に、前記ペーパータオルが重畳状態で２つ折り又は３つ折りに形成されてなり、且つ該ペーパータオルを取り出した状態の最上側のペーパータオルの上側片は常時、前記斜方形開口部上に露出されてなることを特徴とするペーパータオル収納箱としたことにより、前記課題を解決した。 
【手続補正３】
【補正対象書類名】明細書
【補正対象項目名】０００９
【補正方法】変更
【補正の内容】
【０００９】
請求項２の発明を、請求項１において、前記端部Ｕ字形開口部の前記斜方形開口部箇所との接合箇所は円弧状に形成されてなることを特徴とするペーパータオル収納箱としたことにより、上記課題を解決した。請求項３の発明を、請求項１又は２において、前記斜方形ミシン目は、全周にわたりカット部分及び連結部分からなる内側ミシン目と外側ミシン目とによる二重ミシン目として形成され、前記Ｕ字形ミシン目は、カット部分及び連結部分からなる一重ミシン目として形成されてなることを特徴とするペーパータオル収納箱としたことにより、上記課題を解決した。 
【手続補正４】
【補正対象書類名】明細書
【補正対象項目名】００１０
【補正方法】変更
【補正の内容】
【００１０】
請求項４の発明を、請求項１，２，３，４又は５の何れか１項において、前記斜方形開口部の長軸が前記上面の長手方向の水平線に対する傾斜角度は、５度〜２５度に形成されてなることを特徴とするペーパータオル収納箱としたことにより、前記課題を解決した。